【手続補正書】
【提出日】平成19年1月25日(2007.1.25)
【手続補正１】
【補正対象書類名】明細書
【補正対象項目名】特許請求の範囲
【補正方法】変更
【補正の内容】
【特許請求の範囲】
【請求項１】  ポリマー支持体を含みかつその上に
ａ）少なくとも１種のフィルム形成性ポリマーを含む第１層、及び
ｂ）前記第１層と前記ポリマー支持体との間に置かれ、前記第１層と前記ポリマー支持体とを接着し、そして銀を含有しない第２層
が配置されている物品であって、
前記第２層が、主として有機溶媒から塗布され、そして前記ポリマー支持体への前記第２層の接着を促進するようにはたらく第１ポリマー、及び前記第１層中のフィルム形成性ポリマーと相溶性であるか又は同じクラスである第２ポリマーを含む２種又はそれ以上のポリマーの混合物を含む物品。
【請求項２】  前記ポリマー支持体が、未被覆で未処理のポリエステル支持体である、請求項１記載の物品。
【請求項３】  前記第１及び第２層の両方が、少なくとも１種のポリビニルアセタールを含有する、請求項１記載の物品。
【請求項４】  前記第２層中の２種又はそれ以上のポリマーの前記混合物が単一相混合物である、請求項１記載の物品。
【請求項５】  前記第２層が、ポリビニルアセタール樹脂及びポリエステル樹脂の単一相混合物を含む、請求項４記載の物品。
【請求項６】  前記第１及び第２層が各々、セルロースポリマーを含有する、請求項１記載の物品。
【請求項７】  ポリマー支持体を含み、そして前記ポリマー支持体の片側に
ａ）少なくとも１種のフィルム形成性ポリマーを含む第１層及び
ｂ）前記第１層と前記ポリマー支持体の間に置かれ、前記第１層と前記ポリマー支持体を接着し、そして銀を含有しない第２層
が配置され、
前記第２層が主として有機溶媒から塗布され、そして単一相混合物を形成する２種又はそれ以上のポリマーを含み、前記２種又はそれ以上のポリマーが前記ポリマー支持体への前記第２層の接着を促進するようにはたらく第１ポリマー、及び前記第１層中のフィルム形成性ポリマーと相溶性であるか又は同じクラスである第２ポリマーを含み、
そして前記ポリマー支持体の反対側に
ａ）少なくとも１種のフィルム形成性ポリマーを含む第３層及び
ｂ）前記第３層と前記ポリマー支持体の間に置かれ、前記第３層と前記ポリマー支持体を接着し、そして銀を含有しない第４層
が配置され、
前記第４層が主として有機溶媒から塗布され、そして単一相混合物を形成する２種又はそれ以上のポリマーを含み、前記第４層中の前記２種又はそれ以上のポリマーが前記ポリマー支持体への前記第４層の接着を促進するようにはたらく第３ポリマー、及び前記第３層中のフィルム形成性ポリマーと相溶性であるか又は同じクラスである第４ポリマーを含む物品。
【請求項８】  前記第１層が銀含有画像形成層である、請求項７記載の物品。
【請求項９】  ポリマー支持体を含みかつ前記ポリマー支持体の片側に少なくとも１種のフィルム形成性ポリマーを含有するフォトサーモグラフ画像形成層を有し、そして前記ポリマー支持体の反対側に少なくとも１種のフィルム形成性ポリマーを含有する非画像形成層を随意選択的に有するフォトサーモグラフ要素であって、
主として有機溶媒から塗布された非画像形成接着促進層が前記ポリマー支持体と前記フォトサーモグラフ画像形成層又は前記非画像形成層のいずれかとの間に置かれかつ前記ポリマー支持体と前記フォトサーモグラフ画像形成層又は前記非画像形成層のいずれかとを接着し、前記非画像形成接着促進層が前記ポリマー支持体への前記非画像形成接着促進層の接着を促進するようにはたらく第１ポリマー及び前記フォトサーモグラフ画像形成層又は前記非画像形成層のいずれかにおけるフィルム形成性ポリマーと相溶性であるか又は同じクラスである第２ポリマーを含む２種又はそれ以上のポリマーの混合物を含むフォトサーモグラフ要素。
【請求項１０】  ポリエステルフィルム支持体を含みかつその片側に、脂肪酸の銀塩、銀還元剤、及びポリビニルアセタールである少なくとも１種のバインダーポリマーを含むフォトサーモグラフ画像形成層を有するフォトサーモグラフ要素であって、
主として有機溶媒から塗布される非画像形成接着促進層が前記ポリエステルフィルム支持体と前記フォトサーモグラフ乳剤層の間に置かれかつ前記ポリエステルフィルム支持体を前記フォトサーモグラフ乳剤層に接着し、前記非画像形成接着促進層がポリビニルアセタール及びポリエステル樹脂の単一相混合物を含み、
前記要素が更に、前記ポリエステルフィルム支持体の反対側に、帯電防止剤、艶消し剤及びセルロースポリマーバインダーを含む帯電防止層を含み、そして
主として有機溶媒から塗布される非画像形成ハレーション防止色素含有接着促進層が前記ポリエステルフィルム支持体と前記帯電防止層の間に置かれかつ前記ポリエステルフィルム支持体を前記帯電防止層に接着し、前記非画像形成ハレーション防止色素含有接着促進層がセルロースポリマー及びポリエステル樹脂の単一相混合物を含むフォトサーモグラフ要素。
【請求項１１】  Ａ）主として第２有機溶媒を含む第２流体から、銀を含有しない第２層をポリマー支持体上に形成させ、そして
Ｂ）同時に又は引き続いて、主として第１有機溶媒を含む第１流体から、少なくとも１種のフィルム形成性ポリマーを含有する第１層を前記第２層上に形成させる
ことを含むポリマー支持体への第１層の接着を促進する方法であって、
前記第２層が前記ポリマー支持体への第２層の接着を促進するようにはたらく第１ポリマー、及び第１層中のフィルム形成性ポリマーと相溶性であるか又は同じクラスである第２ポリマーを含む２種又はそれ以上のポリマーの混合物を含む方法。
【請求項１２】  Ａ）主として第１有機溶媒を含む第１流体から、銀を含有しない第２層をポリマー支持体上に形成させ、そして
Ｂ）主として第１有機溶媒を含む第１流体から、少なくとも１種のフィルム形成性ポリマーを含有する第１層を前記第２層上に形成させる
ことを含み、
前記第２層が前記ポリマー支持体と第２層の間の接着を促進するようにはたらく第１ポリマー、及び前記第１層中のフィルム形成性ポリマーと相溶性であるか又は同じクラスである第２ポリマーを含む２種又はそれ以上のポリマーの混合物を含む物品を作製する方法。
【請求項１３】  前記第１及び第２層が滑動塗布を用いて形成される、請求項１２記載の方法。
【請求項１４】  前記第２層が第２流体で依然濡れている間に前記第１層を前記第２層の上部に塗布する、請求項１２記載の方法。
【請求項１５】  前記第１及び第２有機溶媒が同じである、請求項１２記載の方法。
【請求項１６】  前記第２層の湿潤塗り厚が５０μｍ未満である、請求項１２記載の方法。
【請求項１７】  前記第２層の湿潤塗り厚が、約０．１から約２０μｍである、請求項１６記載の方法。
【請求項１８】  前記ポリマー支持体の反対側に
Ｃ）主として第４有機溶媒を含む第４流体から、銀を含有しない第４層及び
Ｄ）主として第３有機溶媒を含む第３流体から、少なくとも１種のポリマーを含む第３層
を形成させることを更に含み、
前記第４層が前記ポリマー支持体と前記第４層の間の接着を促進するようにはたらく第３ポリマー、及び前記第３層中のフィルム形成性ポリマーと相溶性であるか又は同じクラスである第４ポリマーを含む２種又はそれ以上のポリマーの混合物を含む、請求項１２記載の方法。
【請求項１９】  前記第１及び第２層がポリビニルアセタール又はポリエステル樹脂の単一相混合物を含み、そして前記第３及び第４層が独立的にポリエステル樹脂又はセルロースポリマーの単一相混合物を含む、請求項１８記載の方法。